(57)【要約】【課題】液体芳香消臭剤に基づく芳香消臭作用を略一定の強さで長期間に渡って発揮させることができる、新たな仕組みの、芳香消臭装置を提供すること。【解決手段】ケース内に、蒸発皿２と、ファン３と、芳香消臭剤供給機構４と、を備えており、芳香消臭剤供給機構４が、液体芳香消臭剤を収容しているボトル４３と、エアーを吐出するポンプ４２と、ポンプ４２の作動を制御する制御回路部４１と、を備え、ポンプ４２を所定の待機時間置きに所定の作動時間だけ作動させて所定量のエアーを吐出させ、該吐出エアーをボトル４３内に供給してボトル４３の内圧を上昇させ、それによってボトル４３内の液体芳香消臭剤をボトル４３から押し出して蒸発皿２へ供給するようになっていることを特徴とする。【選択図】  図２
2004236948.tif 000002
【特許請求の範囲】
【請求項１】
ケース内に、液体芳香消臭剤を貯留して蒸発させる蒸発皿と、蒸発した液体芳香消臭剤をケース外へ放散させるファンと、液体芳香消臭剤を蒸発皿へ供給する芳香消臭剤供給機構と、を備えており、
芳香消臭剤供給機構が、液体芳香消臭剤を収容している容器と、エアーを吐出するポンプと、ポンプの作動を制御する制御手段と、を備え、ポンプを所定の待機時間置きに所定の作動時間だけ作動させて所定量のエアーを吐出させ、該吐出エアーを容器内に供給して容器の内圧を上昇させ、それによって容器内の液体芳香消臭剤を容器から押し出して蒸発皿へ供給するようになっていることを特徴とする芳香消臭装置。
【発明の詳細な説明】
【０００１】
【発明の属する技術分野】
本発明は、液体芳香消臭剤に基づく芳香消臭作用を略一定の強さで長期間に渡って発揮させることができる芳香消臭装置に関するものである。
【０００２】
【従来の技術】
特許文献１に示すような芳香消臭装置が、本件出願人により既に提案されている。この芳香消臭装置によれば、液体芳香消臭剤に基づく芳香消臭作用を略一定の強さで長期間に渡って発揮させることができる。
【０００３】
【特許文献１】
特開平１１−１９７２２５号公報
【０００４】
【発明が解決しようとする課題】
液体芳香消臭剤に基づく芳香消臭作用を略一定の強さで長期間に渡って発揮させることができる芳香消臭装置に関して、商品選択の幅を広げるとともに、更に簡単な仕組みによる装置を提供すること、を目的とする。
【０００５】
【課題を解決するための手段】
請求項１記載の発明は、ケース内に、液体芳香消臭剤を貯留して蒸発させる蒸発皿と、蒸発した液体芳香消臭剤をケース外へ放散させるファンと、液体芳香消臭剤を蒸発皿へ供給する芳香消臭剤供給機構と、を備えており、芳香消臭剤供給機構が、液体芳香消臭剤を収容している容器と、エアーを吐出するポンプと、ポンプの作動を制御する制御手段と、を備え、ポンプを所定の待機時間置きに所定の作動時間だけ作動させて所定量のエアーを吐出させ、該吐出エアーを容器内に供給して容器の内圧を上昇させ、それによって容器内の液体芳香消臭剤を容器から押し出して蒸発皿へ供給するようになっていることを特徴とする芳香消臭装置である。
【０００６】
なお、液体芳香消臭剤とは、芳香成分又は消臭成分又は芳香消臭成分を含有してなる液状の薬剤である。
【０００７】
【発明の実施の形態】
図１は本発明の芳香消臭装置の側面図である。本装置は、蓋１１及び本体１２からなるケース１内に、全構成部品を収納している。蓋１１は、上縁のピン１１１を支点にして、本体１２に対して、矢印Ａに示すように開閉可能となっており、本装置では、蓋１１を開いた状態で部品のメンテナンスを行うことができる。
【０００８】
図２は、蓋１１を取り外した状態で、図１の装置の内部を示す正面図である。本装置は、ケース１内に、蒸発皿２と、ファン３と、芳香消臭剤供給機構４と、電源５と、を備えている。
【０００９】
蒸発皿２は、液体芳香消臭剤を吸着保持する例えば脱脂綿を備えている。
【００１０】
ファン３は、円筒状の羽根車３１と、羽根車３１を回転させるモータ３２と、からなっている。羽根車３１は、蒸発皿２の上方に位置しており、回転することによって、蒸発皿２から蒸発してきた液体芳香消臭剤を拡散させるようになっている。
【００１１】
芳香消臭剤供給機構４は、制御回路部（制御手段）４１と、ポンプ４２と、ボトル（容器）４３と、を備えている。ポンプ４２は、作動時間に応じた所定量のエアーを吐出口４２１から吐出するようになっている。制御回路部４１は、所定の待機時間置きに所定の作動時間だけ作動するように、ポンプ４２を制御するよう構成されている。
【００１２】
ボトル４３は、本体４４と、本体４４の上開口を気密的に塞ぐキャップ４５と、からなっている。本体４４は液体芳香消臭剤を収容している。キャップ４５は、本体４４に対して脱着自在となっている。キャップ４５は、入口孔４５１を構成する凸部４５２と、出口孔４５３を構成する凸部４５４と、を備えている。ポンプ４２の吐出口４２１は、凸部４５２に気密的に連結して入口孔４５１を介してボトル４３内に通じている。出口孔４５３には、送出管４６が気密的に挿通して設けられている。送出管４６の下端４６１は本体４４の底面近傍に位置しており、先端４６２は蒸発皿２の上方近傍に位置している。
【００１３】
電源５は、第１電源５１と第２電源５２とからなっている。第１電源５１は、ファン３のモータ３２を駆動するためのものである。第２電源５２は、制御回路部４１及びポンプ４２を駆動するためのものである。
【００１４】
次に、上記構成の芳香消臭装置の作動について説明する。
電源５がオンになると、ファン３が作動するとともに制御回路部４１によってポンプ４２が制御される。ポンプ４２は、制御回路部４１の設定に基づいて、所定の待機時間置きに所定の作動時間だけ、例えば、３時間置きに１．０秒間だけ、作動する。ポンプ４２が作動すると、その作動時間に応じた所定量のエアーが、吐出口４２１から吐出されてボトル４３内に供給される。ボトル４３では、供給されたエアーによって内圧が上昇するため、液体芳香消臭剤が、ボトル４３から送出管４６を通って押し出されて先端４６２から蒸発皿２に滴下される。滴下された液体芳香消臭剤は、蒸発皿２にて吸着保持され、その状態で少しずつ蒸発していき、ファン３によって蓋１１の窓（図示せず）からケース１外へ放散される。こうして、本装置により、芳香消臭作用が発揮される。
【００１５】
上記作動により、ボトル４３内の液体芳香消臭剤は消費されていくが、液体芳香消臭剤が無くなった場合には、キャップ４５から本体４４を取り外して、本体４４に液体芳香消臭剤を補充したり、液体芳香消臭剤を収容した新たな本体４４をキャップ４５に取り付けたりする。
【００１６】
ところで、発揮される芳香消臭作用の強さは、蒸発皿２における液体芳香消臭剤の蒸発量に依存するため、蒸発皿２に液体芳香消臭剤を補充しない場合には、上記蒸発量は次第に減少していき、発揮される芳香消臭作用は確実に弱くなっていき、長期間経過後には芳香消臭作用が発揮されなくなる。
【００１７】
しかるに、上記構成の装置では、ポンプ４２が所定の待機時間置きに作動するので、液体芳香消臭剤が該待機時間置きに蒸発皿２に確実に供給される。
【００１８】
しかも、上記構成の装置では、ポンプ４２が所定の作動時間だけ作動するので、液体芳香消臭剤が所定量だけ蒸発皿２に供給される。即ち、上記構成の装置において、ボトル４３から押し出される液体芳香消臭剤の量は、ボトル４３の内圧上昇に対応し、該内圧上昇は、ポンプ４２からボトル４３内へ供給されたエアーの量に対応し、該エアーの量は、ポンプ４２の作動時間に対応するので、ポンプ４２が所定の作動時間だけ作動すると、当該作動時間に応じた所定量の液体芳香消臭剤がボトル４３から押し出される。
【００１９】
従って、制御回路部４１によって、上記待機時間を、発揮される芳香消臭作用の強さが弱まり始める時間間隔に、設定し、且つ、上記作動時間を、蒸発皿２へ供給される液体芳香消臭剤の上記所定量が芳香消臭作用の強さを当初の強さに戻す量となるよう、設定すれば、発揮される芳香消臭作用を、当初の強さで略一定のまま長期間に渡って維持することができる。
【００２０】
なお、上記待機時間の長さ及び上記作動時間の長さは、利用者が、当初に設定する芳香消臭作用の強さとともに任意に設定できる。
【００２１】
［実験例］
ポンプ４２の作動時間と、送出管４６からの液体芳香消臭剤の滴下量と、の関係を実験して調べた。
【００２２】
（条件）
図２の芳香消臭剤供給機構４と同じ機構を組み立て、液体芳香消臭剤の代わりに水を用い、且つ、ポンプ４２の作動時間のみを変えて、送出管４６からの水の滴下量を測定した。
【００２３】
（結果）
結果を図３に示す。図３において、横軸はポンプの作動時間、縦軸は滴下量である。図３から明らかなように、ポンプの作動時間と水の滴下量とは比例関係にあると言える。即ち、この場合、水と液体芳香消臭剤とは実質的に同じものとみなせるので、ポンプ４２の作動時間と、送出管４６からの液体芳香消臭剤の滴下量とは、比例関係にあると言える。従って、上述したように、ポンプ４２が所定の作動時間だけ作動すると、蒸発皿２へ供給される液体芳香消臭剤の量は、ポンプ４２の作動時間に応じた所定量となる。
【００２４】
【発明の効果】
請求項１記載の発明によれば、所定の待機時間置きに所定の作動時間だけポンプを作動させることにより、当該作動時間に応じた所定量の液体芳香消臭剤を、上記待機時間置きに蒸発皿に確実に供給できる。従って、上記待機時間を、発揮される芳香消臭作用の強さが弱まり始める時間間隔に、設定し、且つ、上記作動時間を、蒸発皿へ供給される液体芳香消臭剤の上記所定量が芳香消臭作用の強さを当初の強さに戻す量となるよう、設定すれば、芳香消臭作用を、当初の強さで略一定のまま長期間に渡って発揮させることができる。
【図面の簡単な説明】
【図１】本発明の芳香消臭装置の側面図である。
【図２】図１の装置の内部を示す正面図である。
【図３】実験例の結果を示す図である。
【符号の説明】
１  ケース
２  蒸発皿
３  ファン
４  芳香消臭剤供給機構
４１  制御回路部（制御手段）
４２  ポンプ
４３  ボトル（容器）
【図１】
2004236948.tif 000003
【図２】
2004236948.tif 000004
【図３】
2004236948.tif 000005